(57)【特許請求の範囲】
【請求項１】
樹脂製のケース部材及び該ケース部材の内側に配される金属部材を有する筐体と、該筐体内に配置される光センサ及び表示部とを備え、
前記ケース部材は、前記光センサの光検出面側に配置されると共に、該光センサに対向する位置に第１開口部を有し、
前記金属部材は、前記光センサと前記ケース部材との間に配置されていると共に、前記第１開口部と重なる位置に該第１開口部以下の大きさの第２開口部を有し、前記光センサと前記表示部との間に配置されている携帯電子機器。
【請求項２】
前記金属部材は、前記表示部の裏面側に延在している請求項１記載の携帯電子機器。
【請求項３】
前記金属部材は、前記ケース部材の外側に延出している
請求項１又は２記載の携帯電子機器。
【請求項４】
前記筐体内に配置される回路基板を更に有しており、
前記光センサは、前記回路基板に実装されており、
前記金属部材は、前記回路基板に設けられた基準電位パターンに電気的に接続されている請求項１から３のいずれかに記載の携帯電子機器。
【請求項５】
前記筐体内に配置され前記光センサによる光検出結果により輝度が調整される表示面を有する表示部を更に備え、前記金属部材は、前記表示部における前記表示面と反対側の面を覆っている請求項１から４のいずれかに記載の携帯電子機器。
【請求項６】
前記筐体は、前記表示部における前記表示面を露出させる表示開口と、
前記表示開口、前記第１開口部及び前記第２開口部を覆う透明部材とを更に有している請求項５記載の携帯電子機器。
【請求項７】
前記第１開口部及び前記第２開口部は、前記表示開口の周縁部に形成され、
前記透明部材は、前記表示開口の周縁部における少なくとも一部に配された両面粘着部材によって前記ケース部材及び／又は前記金属部材と接合されており、
前記両面粘着部材は、前記周縁部における前記第１開口部及び第２開口部が形成されている領域を除く前記周縁部に配されている請求項６記載の携帯電子機器。
【発明の詳細な説明】
【技術分野】
【０００１】
本発明は、光センサを備える携帯電子機器に関する。
【背景技術】
【０００２】
携帯電話機等のバッテリー駆動型の携帯電子機器においては、バッテリーの消費電力を低減させるためには、ディスプレイの輝度を低く抑えることが好ましい。しかし、液晶ディスプレイ（ＬＣＤ）においては、外部が暗いときにはバックライトを点灯させなければ表示内容の確認ができない。また、有機ＥＬディスプレイにおいても、晴天の屋外等においては、輝度を高くしなければ表示内容を視認できない。
そこで、外部の明るさに応じてディスプレイの輝度等を調整し、バッテリーの省電力化を図ることを目的として、光センサと呼ばれる光を感知する機能を有する部材が搭載された携帯電子機器が提案されている（例えば、特許文献１及び２参照）。
【特許文献１】特開２００１−３２０４７６号公報
【特許文献２】特開２００２−５７７７６号公報
【０００３】
光センサを搭載した携帯電子機器においては、光センサに外部の明るさを検知させるために、携帯電子機器を構成する筐体に開口部を設け、この開口部の直下に光センサを配置させる。筐体に設けられた開口部は、埃等の侵入を防止するために、透明あるいは半透明の光透過性を有するカバー部材により覆われている。光センサは、開口部を透過した光を感知してディスプレイの輝度等を調整する。
【発明の開示】
【発明が解決しようとする課題】
【０００４】
しかし、このような構成を有する特許文献１及び２記載の携帯電子機器においては、カバー部材と筐体との隙間から静電気が筐体内部に侵入しやすくなる。そして、筐体内部に侵入した静電気は、筐体に設けられた開口部から光センサや他の回路に流れて、光センサの静電破壊や静電気による誤作動を引き起こしてしまうことがあった。
【０００５】
従って、本発明は、光センサの静電破壊や静電気による誤作動が生じにくい携帯電子機器を提供することを目的とする。
【課題を解決するための手段】
【０００６】
本発明は、樹脂製のケース部材及び該ケース部材の内側に配される金属部材を有する筐体と、該筐体内に配置される光センサとを備え、前記ケース部材は、前記光センサの光検出面側に配置されると共に、該光センサに対向する位置に第１開口部を有し、前記金属部材は、前記光センサと前記ケース部材との間に配置されると共に、前記第１開口部と重なる位置に該第１開口部以下の大きさの第２開口部を有している携帯電子機器に関する。
【０００７】
また、前記筐体内に配置される回路基板を更に有しており、前記光センサは、前記回路基板に実装されており、前記金属部材は、前記回路基板に設けられた基準電位パターンに電気的に接続されていることが好ましい。
【０００８】
また、前記金属部材と前記ケース部材とは、インサート成型により一体的に構成されていることが好ましい。
【０００９】
また、前記筐体内に配置され前記光センサによる光検出結果により輝度が調整される表示面を有する表示部（ディスプレイ）を更に備え、前記金属部材は、前記表示部における前記表示面と反対側の面を覆っていることが好ましい。
【００１０】
また、前記筐体は、前記表示部における前記表示面を露出させる表示開口と、前記表示開口、前記第１開口部及び前記第２開口部を覆う透明部材とを更に有していることが好ましい。
【００１１】
また、前記第１開口部及び前記第２開口部は、前記表示開口の周縁部に形成され、前記透明部材は、前記表示開口の周縁部における少なくとも一部に配された両面粘着部材によって前記ケース部材及び／又は前記金属部材と接合されており、前記両面粘着部材は、前記周縁部における前記第１開口部及び第２開口部が形成されている領域を除く前記周縁部に配されていることが好ましい。
【発明の効果】
【００１２】
本発明によれば、光センサの静電破壊や静電気による誤作動が生じにくい携帯電子機器を提供することができる。
【発明を実施するための最良の形態】
【００１３】
以下、本発明を実施するための最良の形態について、図面を参照しながら説明する。まず、本発明の一実施形態である携帯電話機１の基本構造について、図１から図３を参照しながら説明する。
【００１４】
図１は、本発明の携帯電子機器である携帯電話機１を開いた状態を示す斜視図である。図２は、図１に示す携帯電話機１の表示部側筐体３を、連結部４の回動軸Ｙを中心にして所定角度回動した状態を示す斜視図である。図３は、図１に示す携帯電話機１を閉じた状態を示す斜視図である。
【００１５】
本実施形態の携帯電話機１は、図１から図３に示すように、操作部側筐体２と、表示部側筐体３とを備える。操作部側筐体２と表示部側筐体３とは２軸ヒンジ機構を備える連結部４を介して連結され、該携帯電話機１を開状態及び閉状態に変形可能とすると共に、開状態及び閉状態それぞれにおいて表示部側筐体３を表状態と裏状態とに切り替えることができる。
【００１６】
ここで、携帯電話機１の閉状態とは、操作部側筐体２と表示部側筐体３とが互いに重なるように配置された状態であり（図３参照）、開状態とは、操作部側筐体２と表示部側筐体３とが互いに重ならないように配置された状態（図１参照）をいう。
そして、開状態における表状態とは、表示部側筐体３においてディスプレイ３０が配置される面である表示部表面３Ａと、操作部側筐体２において操作キー群１１が配置される面である操作部表面２Ａとが同じ側を向くように配置された状態（図１参照）である。開状態における裏状態とは、表示部側筐体３における表示部表面３Ａと操作部側筐体２における操作部表面２Ａとが反対側を向くように配置された状態をいう。
また、閉状態における表状態とは、表示部側筐体３における表示部表面３Ａが操作部側筐体２における操作部表面２Ａに対向するように配置された状態である（図３参照）。閉状態における裏状態とは、表示部側筐体３における表示部表面３Ａが操作部側筐体２における操作部表面２Ａと対向せずに表出した状態である。
【００１７】
操作部側筐体２は、図１及び図２に示すように、その外面が操作部表面２Ａ側を構成する操作部フロントケース２ａ及び操作キー群１１と、操作部表面２Ａ側とは反対の面側を構成する操作部リアケース２ｂとにより構成される。
【００１８】
操作部フロントケース２ａは、操作キー群１１が操作部表面２Ａに露出するように構成されている。また、操作部フロントケース２ａにおける操作部表面２Ａには、携帯電話機１の使用者が通話時に発した音声が入力される音声入力部１２が形成されている。
操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。音声入力部１２は、操作部側筐体２の長手方向における連結部４側とは反対側の端部近傍に配置される。つまり、音声入力部１２は、携帯電話機１の開状態において一方の端部側に配置される。
【００１９】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２０】
操作部側筐体２の側面には、例えば、外部機器（例えば、ホスト装置）とデータの送受信を行うためのインターフェース、ヘッドホン／マイク端子、着脱可能な外部メモリのインターフェース、バッテリーを充電するための充電端子が設けられている。
【００２１】
表示部側筐体３は、図１及び図２に示すように、その外面が表示開口３３を有する表示部フロントケース３ａと、表示部フロントケース３ａと結合される表示部リアケース３ｂと、表示部フロントケース３ａの表示開口３３を覆うように配置される透明部材であるカバー部材３ｃとにより構成される。表示部側筐体３は、表示部表面３Ａ側が表示部フロントケース３ａ及びカバー部材３ｃにより構成されており、表示部表面３Ａと反対の面である表示部裏面３Ｂ側が表示部リアケース３ｂにより構成されている。
【００２２】
表示部フロントケース３ａ（ケース部材）は、各種情報を表示させる表示部としてのディスプレイユニット３ｄにおける表示面であるディスプレイ３０が、表示開口３３から表示部表面３Ａに露出するように構成されている。また、表示部フロントケース３ａには、通話の相手側における音声を出力する音声出力部３１と、後述する光センサ１１３に光を透過させる光透過部としての開口部３５とが形成されている。尚、表示部フロントケース３ａに形成された開口部３５は、図１に示すように、カバー部材３ｃにより覆われており、外部の光が開口部３５を通って表示部側筐体３の内部に透過可能となっている。
【００２３】
開口部３５は、表示部側筐体３の長手方向における連結部４側の端部側に配置され、音声出力部３１は、表示部側筐体３の長手方向における連結部４とは反対の端部側に配置される。つまり、開口部３５は、携帯電話機１の開状態における中央部側に配置され、音声出力部３１は、携帯電話機１の開状態における表示部側筐体３側の端部近傍に配置される。
【００２４】
表示部側筐体３の表示部リアケース３ｂ側には、各種情報を表示させるサブディスプレイユニット３ｆにおけるサブディスプレイ３２が、表示部リアケース３ｂを介して露出するように配置される。ディスプレイユニット３ｄ及びサブディスプレイユニット３ｆそれぞれは、ディスプレイ３０及びサブディスプレイ３２を構成する液晶パネルと、この液晶パネルを駆動する駆動回路と、この液晶パネルの背面側から光を照射するバックライト等の光源部とから構成される。
【００２５】
操作部側筐体２の上端部と表示部側筐体３の下端部とは、図１から図３に示すように、連結部４を介して連結される。
連結部４は、操作部側筐体２と表示部側筐体３とを、第１回転軸としての開閉軸Ｘを中心にして任意の角度で開閉自在に連結すると共に、第２回転軸としての回動軸Ｙを中心に任意の角度で回動自在に連結する２軸ヒンジ機構を備える結合部材４１を有する。これにより、携帯電話機１は、開状態及び閉状態が変形可能となると共に、開状態及び閉状態それぞれにおいて表示部側筐体３を表状態と裏状態とに切り替え可能となっている。
【００２６】
次に、表示部側筐体３の内部構造について図４及び図５を参照して説明する。
図４は、表示部側筐体３の分解斜視図を示す。図５は、表示部フロントケース３ａを便宜上樹脂ケース部材３００と板金部材３１０とに分解して示した斜視図である。
【００２７】
表示部側筐体３は、図４に示すように、カバー部材３ｃと、ディスプレイユニット３ｄと、表示部フロントケース３ａと、回路基板３ｅと、サブディスプレイユニット３ｆと、表示部リアケース３ｂとを備えている。
表示部フロントケース３ａは、枠状に形成された樹脂製のケース部材である樹脂ケース部材３００と樹脂ケース部材３００の一方の面側を覆うように配置された金属部材である板金部材３１０とから構成されている。表示開口３３は、枠状の樹脂ケース部材３００における板金部材３１０に覆われていない側に形成されている。
【００２８】
表示部フロントケース３ａと表示部リアケース３ｂとは、互いの凹状の内側面が向き合うように配置されると共に、互いの外周縁が重なり合うようにして結合される。また、表示部リアケース３ｂと表示部フロントケース３ａとの間には、表示部リアケース３ｂを介してサブディスプレイ３２が露出するようにサブディスプレイユニット３ｆが配置されており、サブディスプレイユニット３ｆの周囲を囲むように回路基板３ｅが配置されている。そして、回路基板３ｅ及びサブディスプレイユニット３ｆにおけるサブディスプレイ３２が設けられている面と反対の面側に表示部フロントケース３ａにおける板金部材３１０が配置されている。即ち、表示部リアケース３ｂと表示部フロントケース３ａにおける板金部材３１０との間には、サブディスプレイユニット３ｆ及び回路基板３ｅが挟み込まれるように配置されている。
【００２９】
回路基板３ｅは、ディスプレイユニット３ｄ及びサブディスプレイユニット３ｆに給電等を行うものである。回路基板３ｅには、光を感知する機能を有する光センサ１１３及びその他各種電子部品が配置されると共に、基準電位部としての基準電位パターン層１１４が形成されている（図４参照）。回路基板３ｅは、その長手方向における連結部４側に突出する突出部１１２を有しており、光センサ１１３は、突出部１１２に実装されている。
光センサ１１３及び基準電位パターン層１１４は、回路基板３ｅにおける表示部表面３Ａ側に配置されている。また、回路基板３ｅには、サブディスプレイユニット３ｆの外形に対応する形状の基板開口１１１が形成されている。
光センサ１１３及び他の各種電子部品は、所定の組合せにより、ディスプレイ３０やサブディスプレイ３２の輝度の調節やその他の表示態様等の制御を行う表示制御ブロック等の回路ブロックを形成する。
【００３０】
表示部フロントケース３ａは、上述したように、樹脂ケース部材３００と板金部材３１０とにより構成されている。また、表示部フロントケース３ａの表示開口周縁部３４における連結部４側には、図４に示すように、光センサ１１３と重なる位置に外部の光を透過させるための開口部３５が形成されている。表示部フロントケース３ａは、樹脂成形を行う際に所定の金型に板金部材３１０を配置し、樹脂ケース部材３００の材料である樹脂を流し込んでインサート成形することで得られる。これにより、板金部材３１０は、その周縁部を樹脂ケース部材３００の樹脂により覆われた状態で樹脂ケース部材３００に一体的に固定される。
【００３１】
板金部材３１０は、表示部側筐体３における曲げ動作や捩り動作に対する剛性確保のための補強部材として機能する。板金部材３１０は、図５に示すように、平面状の板金における外縁が折り曲げられた形状であって、一の広い面が開口した厚さが薄い箱状の形状を有している。そして、板金部材３１０の周縁には、段差状の段差部３１２が形成される。具体的には、板金部材３１０は、平面状の平面部３１１と、平面部３１１の周縁に形成され平面部３１１と厚さ方向における位置が異なるよう段差状に形成された段差部３１２とを備える。
【００３２】
平面部３１１には、図４に示すように、厚さ方向における回路基板３ｅ側に突出する突起部３１３が形成される。突起部３１３は、回路基板３ｅにおける基準電位パターン層１１４に当接する。板金部材３１０は、突起部３１３によって回路基板３ｅと導通される。
板金部材３１０の長手方向における連結部４側の段差部３１２ａには、開口部３５の一部を構成する第２開口部３５ｂが形成されている。第２開口部３５ｂは、表示部側筐体３が組み立てられた場合に回路基板３ｅにおける光センサ１１３に対向する位置に形成される。
【００３３】
樹脂ケース部材３００は、図４及び図５に示すように、板金部材３１０の周縁に設けられた段差部３１２を覆うように形成された枠状の形状を有している。
樹脂ケース部材３００における板金部材３１０の第２開口部３５ｂを覆う位置には、第１開口部３５ａが形成されている。即ち、板金部材３１０における第２開口部３５ｂと樹脂ケース部材３００における第１開口部３５ａとは重なり合っており、両者によって表示部フロントケース３ａにおける開口部３５を構成している。
第１開口部３５ａの大きさは、第２開口部３５ｂの大きさよりも大きく構成されている。
【００３４】
表示部フロントケース３ａにおける表示部表面３Ａ側に形成された表示開口３３には、ディスプレイユニット３ｄが配置される。ディスプレイユニット３ｄは、図４に示すように、ディスプレイ３０が表示開口３３から露出するように配置される。
【００３５】
ディスプレイユニット３ｄの表示部表面３Ａ側には透明部材であるカバー部材３ｃが配置される。カバー部材３ｃは、表示開口３３よりも一回り大きな形状を有しており、ディスプレイユニット３ｄにおけるディスプレイ３０の全面、及び表示部フロントケース３ａの表示開口周縁部３４に形成された開口部３５を覆うように配置される。
カバー部材３ｃは、表示部フロントケース３ａと、表示開口周縁部３４において両面接着部材（図示せず）により接合されている。カバー部材３ｃにおける表示開口周縁部３４と重なり合う領域には、開口部３５に重なる部分を除いて、表示部側筐体３の内部が視認できないように着色処理等が施された化粧部３６が設けられている。即ち、カバー部材３ｃは、表示開口３３を覆う領域及び開口部３５を覆う領域が透明となるように構成されている。
【００３６】
次に、表示部側筐体３における光センサ１１３が配置された部分近傍の断面構造について図６及び図７を参照して説明する。図６は、本実施形態の携帯電話機１の表示部側筐体３の平面図を示す。図７は、図６のＩ−Ｉ線断面図における回路基板３ｅ、表示部フロントケース３ａ、ディスプレイユニット３ｄ及びカバー部材３ｃの層構造を示した図である。
【００３７】
光センサ１１３は、図６及び図７に示すように、表示部側筐体３における連結部４側の端部近傍の回路基板３ｅ上に搭載されている。光センサ１１３の表示部表面３Ａ側は表示部フロントケース３ａに覆われている。詳細には、光センサ１１３の表示部表面３Ａ側は、板金部材３１０における段差部３１２に覆われており、段差部３１２の表示部表面３Ａ側は樹脂ケース部材３００に覆われている。
【００３８】
表示部フロントケース３ａにおける開口部３５は光センサ１１３と重なる位置に形成されており、開口部３５の大きさ（直径）は、図７に示すように、光センサ１１３の大きさよりも大きく構成されている。また、開口部３５は樹脂ケース部材３００に形成された第１開口部３５ａと板金部材３１０に形成された第２開口部３５ｂとから構成されており、第２開口部３５ｂの大きさは、第１開口部３５ａの大きさよりも小さく構成されている。
【００３９】
表示部フロントケース３ａの表示部表面３Ａ側には透明部材からなるカバー部材３ｃが配置されており、表示部フロントケース３ａに形成された開口部３５は、カバー部材３ｃによって覆われている。表示部フロントケース３ａとカバー部材３ｃとは、図６に示すように、表示部フロントケース３ａの表示開口周縁部３４に配された両面粘着部材（図示せず）によって接合されている。両面粘着部材は、表示開口周縁部３４における開口部３５が形成された部分を除く領域に配されている。即ち、開口部３５が形成されている部分には両面粘着部材は配されていない。また、カバー部材３ｃにおける表示開口周縁部３４と重なる領域には、上述したように、開口部３５と重なる部分を除いて化粧部３６が設けられている（図７参照）。
【００４０】
上述した構成を有する本実施形態の携帯電話機１は、光センサ１１３の表示部表面３Ａ側を覆う表示部フロントケース３ａが板金部材３１０と樹脂ケース部材３００とからなる共に、光センサ１１３に光を透過させるための開口部３５を有している。また、開口部３５は、樹脂ケース部材３００に形成された第１開口部３５ａと板金部材３１０に形成された第２開口部３５ｂとからなり、第２開口部３５ｂの大きさは、第１開口部３５ａの大きさ以下に構成されている。そのため、図７に示すように、カバー部材３ｃと表示部フロントケース３ａにおける樹脂ケース部材３００との隙間から筐体内部に侵入した静電気Ｖは、開口部３５において樹脂ケース部材３００と光センサ１１３との間に位置する導電性の大きい板金部材３１０に流れ、侵入した静電気Ｖが開口部３５から光センサ１１３や他の回路に流れることを防止できる。その結果、光センサ１１３の静電破壊や静電気による誤作動が生じにくい。
【００４１】
また、本実施形態によれば、開口部３５の周縁が光を透過させない板金部材３１０により構成されているため、開口部３５の周縁から光は透過せず、光センサ１１３は開口部３５を透過した光のみを感知できる。そのため、光センサ１１３の感度が安定すると共に、一定の感度の光センサ１１３を使用することができる。
【００４２】
これに対して、従来の樹脂部材のみから構成される表示部フロントケースにおいては、樹脂部材が若干の光を透過させるため、光センサが開口部を透過した光だけでなく、筐体部分（開口部以外のケース部分）を透過した光も感知してしまう。また、筐体の塗装色により筐体部分の光の透過性は異なってくる。例えば、黒等の濃色系の筐体の光透過性は低いのに対し、白等の淡色系の筐体の光透過性は高い。そのため、外部の明るさを正確に検出するためには、筐体の塗装色に応じて筐体部分を透過する光の影響を考慮した光センサの検出値の調整が必要であった。
本実施形態の携帯電話機１によれば、従来のような筐体の塗装色に応じた光センサの検出値の調整が不要となり、筐体の塗装色に関わらず一定の感度の光センサを使用することができる。
【００４３】
また、第２開口部３５ｂの大きさが第１開口部３５ａの大きさよりも小さく構成されているため、カバー部材３ｃと表示部フロントケース３ａとの隙間から侵入し、表示部フロントケース３ａの表面を伝って流れる静電気Ｖは、より板金部材３１０に流れやすくなり、光センサ１１３の静電破壊や静電気による誤作動の防止効果が更に向上する。
【００４４】
また、板金部材３１０に形成された突起部３１３と回路基板１１０に形成された基準電位パターン層１１４とを当接させて電気導通しているため、侵入した静電気Ｖは、板金部材３１０を介して回路基板３ｅの基準電位パターン層１１４に流れやすくなり、光センサ１１３の静電破壊や静電気による誤作動の防止効果が一層向上する。
【００４５】
また、表示部フロントケース３ａは、表示部側筐体３の補強部材としての機能を有する板金部材３１０と樹脂ケース部材３００とがインサート成形により一体的に構成されており、この板金部材３１０を静電気を逃がすために用いているため、携帯電話機１の製造に要する部品点数を増やすことなく、光センサ１１３の静電破壊や静電気による誤作動の防止を可能としている。
【００４６】
また、透明部材であるカバー部材３ｃは、表示部フロントケース３ａにおける表示開口３３を覆うと共に、開口部３５も覆っているため、開口部３５から表示部側筐体３内への埃等の侵入を防ぐことができる。
【００４７】
また、カバー部材３ｃにおける開口部３５を覆う領域は化粧部を有しておらず、カバー部材３ｃの透明部分により覆われているため光センサ１１３への光の透過を阻害しない。
更に、カバー部材３ｃにおける開口部３５を覆う領域には、表示部フロントケース３ａとカバー部材３ｃとを接合する両面粘着部材が配されていないため、両面粘着部材によって光センサ１１３への光の透過を阻害することもない。
【００４８】
以上、本発明の携帯電子機器の一実施形態について説明したが、本発明は上述した実施形態に制限されるものではない。
例えば、本実施形態においては、表示部フロントケース３ａにおいて、第２開口部３５ｂの大きさは、第１開口部３５ａの大きさよりも小さく構成されていたが、図８に示すように、第２開口部３５ｂの大きさと第１開口部３５ａの大きさとは同じ大きさであってもよい。
【００４９】
また、本実施形態においては、連結部４による折り畳み可能な携帯電話機１の説明をしているが、折り畳み式ではなく、操作部側筐体２と表示部側筐体３とを重ね合わせた状態から一方の筐体を一方向にスライドさせるようにしたスライド式の携帯電話機であってもよい。また、操作部側筐体２と表示部側筐体３との重ね合せ方向に沿う軸線を中心に一方の筐体を回転させるようにした回転式（リボルバ）の携帯電話機であってもよい。
【００５０】
尚、本実施形態においては、金属部材がケース部材にインサート成形される例について説明したが、本発明はこれに制限されない。本発明は、筐体内部に金属部材が配されていれば、つまりケース部材の内側に金属部材が配されていれば、実施可能である。
【図面の簡単な説明】
【００５１】
【図１】本発明の携帯電子機器である携帯電話機１を開いた状態を示す斜視図である。
【図２】図１に示す携帯電話機の表示部側筐体を、連結部の回動軸を中心にして所定角度回動した状態を示す斜視図である。
【図３】図１に示す携帯電話機を閉じた状態を示す斜視図である。
【図４】表示部側筐体の分解斜視図を示す。
【図５】表示部フロントケースを便宜上、樹脂ケース部材と板金部材とに分解して示した斜視図である。
【図６】本実施形態の携帯電話機の表示部側筐体の平面図を示す。
【図７】図６のＩ−Ｉ線断面図における回路基板、表示部フロントケース、ディスプレイユニット及びカバー部材の層構造を示した図である。
【図８】本発明の携帯電子機器の他の実施形態における図７相当図である。
【符号の説明】
【００５２】
１  携帯電話機
２  操作部側筐体
３  表示部側筐体（筐体）
３０  ディスプレイ（表示面）
３１  音声出力部
３２  サブディスプレイ
３３  表示開口
３４  表示開口周縁部
３５  開口部
３６  化粧部
４  連結部
３ａ  表示部フロントケース
３００  樹脂ケース部材（ケース部材）
３１０  板金部材（金属部材）
３ｂ  表示部リアケース
３ｃ  カバー部材
３ｄ  ディスプレイユニット（表示部）
３ｅ  回路基板
３ｆ  サブディスプレイユニット
【図１】
0005042775.tif 000002
【図２】
0005042775.tif 000003
【図３】
0005042775.tif 000004
【図４】
0005042775.tif 000005
【図５】
0005042775.tif 000006
【図６】
0005042775.tif 000007
【図７】
0005042775.tif 000008
【図８】
0005042775.tif 000009